(57)【要約】【課題】  カバーのパネル取付部と操作パネルとが同じ幅である場合でも、操作パネルをヒンジ機構を介して回動可能に取り付けられるようにする。【解決手段】  工作機本体を覆うカバー１１のパネル取付部１４に、操作パネル１５をヒンジ機構２１を介して回動可能に取り付ける構成としたものにおいて、ヒンジ機構２１におけるヒンジ軸２４を、操作パネル１５の裏側で、かつ当該操作パネル１５の幅内に位置するように配置した。【選択図】  図１
2005230951.tif 000002
【特許請求の範囲】
【請求項１】
工作機械本体を覆うように設けられたカバーと、
このカバーに設けられたパネル取付部と、
前記工作機械本体を操作するための操作手段を有し、前記パネル取付部に取り付けられる操作パネルと、
この操作パネルの幅方向の一端部と前記パネル取付部との間に設けられ、前記操作パネルをヒンジ軸を介して回動可能に支持するヒンジ機構とを備え、
前記ヒンジ機構における前記ヒンジ軸を、前記操作パネルの裏側で、かつ当該操作パネルの幅内に位置するように配置したことを特徴とする工作機械。
【請求項２】
前記ヒンジ機構は、
前記パネル取付部側に設けられたカバー側ヒンジ部と、
前記操作パネル側に設けられたパネル側ヒンジ部と、
これらカバー側ヒンジ部とパネル側ヒンジ部のうちの一方に取り付けられ、相手側ヒンジ部と回動可能に嵌合される前記ヒンジ軸とを備え、
前記ヒンジ軸とこれと嵌合する相手側ヒンジ部との間に隙間を形成したことを特徴とする請求項１記載の工作機械。
【請求項３】
前記パネル取付部側に、前記パネル側ヒンジ部を前記パネル取付部から引き離す方向へ付勢する付勢手段を設けたことを特徴とする請求項２記載の工作機械。
【発明の詳細な説明】
【技術分野】
【０００１】
本発明は、工作機本体を覆うカバーのパネル取付部に操作パネルを回動可能に取り付ける構成とした工作機械に関する。
【背景技術】
【０００２】
工作機械、例えばマシニングセンタにおいては、工作機械本体はカバー（スプラッシュカバー）により覆われており、このカバーの例えば前面部に設けられたパネル取付部に、工作機械本体を操作するための操作手段を有する操作パネルが設けられている。そして、この種の工作機械においては、メンテナンスをする際に操作パネルの裏側を容易に露出させることができるようにするために、操作パネルを、カバーのパネル取付部に対してヒンジ機構を介して回動可能に取り付ける構成としたものがある（例えば、特許文献１参照）。
【０００３】
図１１にその一例を示す。この図１１は、操作パネルの取付部分の横断平面図を示している。カバー１は、図示しない工作機械本体を覆うように設けられていて、このカバー１の前面部に設けられたパネル取付部２に、操作パネル３がヒンジ機構４を介して回動可能に取り付けられている。操作パネル３は、通常は、パネル取付部２に対して周囲の複数箇所においてねじ５により固定されている。そして、操作パネル３の裏側を点検する場合には、ねじ５を外した後、操作パネル３を、ヒンジ機構４におけるヒンジ軸４ａを中心に前方側へ回動させ、操作パネル３の裏側を露出させる。これにより、操作パネル３の裏側を容易に点検することができる。
【特許文献１】特開平１１−３３８５４号公報（図１、図２参照）
【発明の開示】
【発明が解決しようとする課題】
【０００４】
上記した従来構成のものの場合、ヒンジ機構４におけるヒンジ軸４ａは、操作パネル３を回動させる際に当該操作パネル３がパネル取付部２に当たらないようにするために、操作パネル３の裏側において当該操作パネル３の図示右端部３ａよりも水平方向の外側（図で右側）に配置されている。このような構成の場合、図１１のようにカバー１のパネル取付部２に、操作パネル３の幅よりも外側にヒンジ機構４を取り付けることができるスペース（取付しろ）がある場合には問題はない。ところが、例えば小型機械では、カバー１におけるパネル取付部２の幅が操作パネル３の幅と同じ場合があり、このような場合には、上記の構成では操作パネル３を回動可能に取り付けることができない。
【０００５】
本発明は、上記問題点を解決するためになされたもので、カバーのパネル取付部と操作パネルとが同じ幅である場合でも、操作パネルをヒンジ機構を介して回動可能に取り付けることができる工作機械を提供することを目的とする。
【課題を解決するための手段】
【０００６】
上記の目的を達成するために、本発明による工作機械は、工作機械本体を覆うように設けられたカバーと、このカバーに設けられたパネル取付部と、前記工作機械本体を操作するための操作手段を有し、前記パネル取付部に取り付けられる操作パネルと、この操作パネルの幅方向の一端部と前記パネル取付部との間に設けられ、前記操作パネルをヒンジ軸を介して回動可能に支持するヒンジ機構とを備え、前記ヒンジ機構における前記ヒンジ軸を、前記操作パネルの裏側で、かつ当該操作パネルの幅内に位置するように配置したことを特徴とする。
【０００７】
この場合、前記ヒンジ機構は、前記パネル取付部側に設けられたカバー側ヒンジ部と、前記操作パネル側に設けられたパネル側ヒンジ部と、これらカバー側ヒンジ部とパネル側ヒンジ部のうちの一方に取り付けられ、相手側ヒンジ部と回動可能に嵌合される前記ヒンジ軸とを備え、前記ヒンジ軸とこれと嵌合する相手側ヒンジ部との間に隙間を形成することが好ましい（請求項２の発明）。
【０００８】
また、請求項２の発明において、パネル取付部側に、パネル側ヒンジ部をパネル取付部から引き離す方向へ付勢する付勢手段を設けることが好ましい（請求項３の発明）。
【発明の効果】
【０００９】
本発明によれば、ヒンジ機構におけるヒンジ軸を、操作パネルの裏側で、かつ当該操作パネルの幅内に位置するように配置することにより、カバーのパネル取付部と操作パネルとが同じ幅である場合でも、操作パネルをヒンジ機構を介して回動可能に取り付けることができる。
請求項２の発明によれば、操作パネルを回動する際に前後方向に遊びができるため、操作パネルがパネル取付部側と干渉することを一層防止することができるようになる。
【００１０】
請求項３の発明によれば、ヒンジ機構部分に隙間によるがたつきがあっても、付勢手段によりそのがたつきの発生を極力防止することができる。
【発明を実施するための最良の形態】
【００１１】
以下、本発明の第１の実施形態について図１ないし図８を参照して説明する。
まず、図５には工作機械としてマシニングセンタの外観図が示されている。この図５において、工作機械本体１０はカバー１１により覆われている。カバー１１の前面部には開口部１２が形成されていて、この開口部１２は、この場合スライド式の扉１３により開閉されるようになっている。その開口部１２は、ワーク（図示せず）を出し入れする際などに利用される。
【００１２】
上記カバー１１の前面部において、開口部１２の右側には、図６にも示すように、上下方向に長い矩形状をなすパネル取付部１４が前方へ突出するように設けられていて、このパネル取付部１４の前面部に、上下方向に長い矩形板状をなす操作パネル１５が後述するようにして取り付けられている。この場合、パネル取付部１４の左右方向の幅寸法と、操作パネル１５の左右方向の幅寸法とは、ほぼ同じとなるように設定されている。操作パネル１５の前面には、前記工作機械本体１０を操作するための操作手段として複数の操作キー１６や摘み１７が設けられていると共に、表示手段としての液晶表示器１８などが設けられている。
【００１３】
また、操作パネル１５の裏面には、図１に示すように回路基板１９が設けられていて、この回路基板１９に、図示しない制御装置を含む電子部品が実装されている。操作キー１６や摘み１７を操作することに基づきその信号が制御装置に入力され、制御装置は、その入力信号に基づき工作機械本体１０及び液晶表示器１８を制御する。そして、制御装置により工作機械本体１０の動作が制御されることに基づいて、ワークに対する加工が行われる。
【００１４】
上記操作パネル１５は、左端部の上下２箇所において、パネル取付部１４にそれぞれヒンジ機構２１を介して回動可能に取り付けられている。上下２箇所のヒンジ機構２１は同様な構成であるので、上側のヒンジ機構２１部分を代表して説明する。
図１ないし図４に示すように、パネル取付部１４の左側面１４ａの内側にはカバー側ヒンジ部２２が固着されている。このカバー側ヒンジ部２２の前部には、上下方向に延びる嵌合筒部２３が一体に設けられていて、この嵌合筒部２３に、上下方向に延びるヒンジ軸２４が挿入固着されている。ヒンジ軸２４は、嵌合筒部２３から上方へ突出している。また、このヒンジ軸２４は、図１に示すように、パネル取付部１４の左側面１４ａよりも右側に配置されている。
【００１５】
操作パネル１５の左側面１５ａの内側には、クランク状をなす取付片２５を介してパネル側ヒンジ部２６が固着されている。このパネル側ヒンジ部２６には、前記ヒンジ軸２４の外径よりも径大な内径の嵌合孔２７ａを有する嵌合筒部２７が一体に設けられていて、この嵌合筒部２７の嵌合孔２７ａをヒンジ軸２４に嵌合させることにより、操作パネル１５がヒンジ軸２４を介して回動可能に支持される。この場合、パネル側ヒンジ部２６に、取付片２５部分も一体に設けることもできる。
【００１６】
ここで、パネル側ヒンジ部２６は、ヒンジ軸２４に回動可能に嵌合される嵌合筒部２７を有していて、ヒンジ軸２４と嵌合する相手側ヒンジ部に相当する。嵌合筒部２７における嵌合孔２７ａの内面とヒンジ軸２４の外面との間には、隙間２８が形成されている。また、ヒンジ軸２４は、操作パネル１５の裏側で、図１において、当該操作パネル１５の左側面１５ａよりも右側に配置されており、従って、ヒンジ軸２４は、操作パネル１５の裏側で、かつ当該操作パネル１５の幅内に配置されている。
【００１７】
上記パネル取付部１４の内側には、付勢手段を構成する板ばね２９の基端部がねじ３０により取付固定されている。その板ばね２９の自由端部２９ａが上記パネル側ヒンジ部２６の背面に後方から圧接していて、その板ばね２９のばね力により、パネル側ヒンジ部２６が、パネル取付部１４から引き離す方向である前方（矢印Ａ１方向）に付勢されている。操作パネル１５の裏側の周縁部には、シール用のパッキン３１が取り付けられている。
【００１８】
そして、通常は、図５及び図６に示すように、操作パネル１５の周縁部の複数箇所（この場合６箇所）に前面側から挿通したねじ３２をパネル取付部１４に締め込むことにより、図７に示すように、操作パネル１５全体を上記板ばね２９の付勢力に抗して後方へ移動させると共に、パッキン３１をパネル取付部１４に押し付けた状態で、操作パネル１５はパネル取付部１４の前面部に固定されている。ねじ３２は、操作パネル１５を固定する固定手段を構成する。
【００１９】
上記した構成において、メンテナンスなどのために操作パネル１５の裏側を点検する場合には、まず、操作パネル１５の周縁部における複数本のねじ３２をすべて緩めて外す。このとき、各ヒンジ機構２１部分において、ヒンジ軸２４とこれに嵌合した嵌合筒部２７との間に隙間２８が形成されていると共に、板ばね２９が設けられているため、その板ばね２９の付勢力により、操作パネル１５の左端部側が前方（矢印Ａ１方向）へ押し出されるように移動する。図１、図２及び図８（ａ）はこの状態が示されている。なお、図１及び図２において、二点鎖線はねじ３２を緩める前の状態（図７の状態）を示している。これら図１、図２、及び図８（ａ）の状態では、操作パネル１５が前方へ移動されているため、操作パネル１５の裏側のパッキン３１とパネル取付部１４の前面１４ｂとの間には隙間３３が形成される。
【００２０】
そして、操作パネル１５を図８（ａ）の矢印Ａ２方向へ回動させることにより、その操作パネル１５は、図８（ｂ），（ｃ）に示すように、ヒンジ機構２１におけるヒンジ軸２４を中心に同方向へ回動される。このとき、パッキン３１とパネル取付部１４の前面１４ｂとの間には隙間３３が形成されているため、操作パネル１５とパネル取付部１４とは干渉せず、操作パネル１５を容易に回動させることができる。操作パネル１５を、図８（ｃ）で示す位置まで回動させることで、操作パネル１５の裏側を露出させることができるので、その部分の点検などを容易に行うことができる。
【００２１】
なお、操作パネル１５の裏側の点検などが終わったら、操作パネル１５を矢印Ａ２とは反対方向へ回動させて図８（ａ）の状態まで戻し、この後、操作パネル１５の周縁部にねじ３２を締め込むことにより、図５〜図７に示す通常の固定状態とする。
上記した実施の形態によれば、次のような効果を得ることができる。まず、ヒンジ機構２１におけるヒンジ軸２４を、操作パネル１５の裏側で、かつ当該操作パネル１５の幅内に位置するように配置することにより、カバー１２のパネル取付部１４と操作パネル１５とが同じ幅である場合でも、操作パネル１５をヒンジ機構２１を介して回動可能に取り付けることができる。
【００２２】
ヒンジ機構２１において、カバー側ヒンジ部２２に固着したヒンジ軸２４と、このヒンジ軸２４に嵌合したパネル側ヒンジ部２６の嵌合筒部２７との間に隙間２８を形成する構成とした。これにより、操作パネル１５を回動する際に前後方向に遊びができるため、操作パネル１５がパネル取付部１４側と干渉することを一層確実に防止することができ、操作パネル１５の回動をスムーズにできる。また、操作パネル１５をねじ３２により締め込むと、操作パネル１５がパネル取付部１４側（後方）へ移動するので、操作パネル１５とパネル取付部１４との間でパッキン３１を均一に押圧することができる。しかも、パネル側ヒンジ部２６及びカバー側ヒンジ部２２、並びにヒンジ軸２４に無理な力が作用し難くなるので、それらが変形したり、破損したりすることを防止できる。
【００２３】
この場合、パネル側ヒンジ部２６の嵌合筒部２７の内径を小さく設定して、この嵌合筒部２７にヒンジ軸２４を挿入して固着し、また、カバー側ヒンジ部２２の嵌合筒部２３の内径を大きく形成して、この嵌合筒部２３にヒンジ軸２４を挿入する構成としても良い。このような構成とした場合には、嵌合筒部２３の内面とヒンジ軸２４の外面との間に隙間２８が形成される。
【００２４】
パネル取付部１４側に、パネル側ヒンジ部２６をパネル取付部１４から引き離す方向（矢印Ａ１方向）へ付勢する付勢手段として板ばね２９を設けたので、ヒンジ機構２１部分に隙間２８によるがたつきがあっても、その板ばね２９の付勢力によりパネル側ヒンジ部２６をヒンジ軸２４に当接させることができ、そのがたつきの発生を極力防止することができる。
【００２５】
図９及び図１０は本発明の第２の実施形態を示すものであり、この第２の実施形態は上記した第１の実施形態とは次の点が異なっている。すなわち、パネル側ヒンジ部２６をパネル取付部１４から引き離す方向（矢印Ａ１方向）へ付勢する付勢手段として、板ばね２９に代えて、プランジャ式のばねユニット３５を用いている。このばねユニット３５のケース３６は、パネル取付部１４の内側に取付固定されている。ばねユニット３５は前後方向へ移動可能なプランジャ３７を有していて、このプランジャ３７が、図示しないばねにより前方へ付勢されてパネル側ヒンジ部２６を前方へ押圧している。
【００２６】
図９は、操作パネル１５固定用のねじ３２を外し、操作パネル１５が前方へ移動した状態が示され、図９は、操作パネル３２を後方へ移動させてねじ３２により固定した状態が示されている。
このような構成とした第２の実施形態においても、第１の実施形態と同様な作用効果を得ることができる。
【図面の簡単な説明】
【００２７】
【図１】本発明の第１の実施形態を示す要部の横断平面図
【図２】図１において矢印Ｘ方向から見た要部の側面図
【図３】要部の斜視図
【図４】要部の分解斜視図
【図５】全体の外観斜視図
【図６】操作パネル部分の斜視図
【図７】図６中Ｙ−Ｙ線に沿う横断平面図
【図８】（ａ）〜（ｃ）は操作パネルを回動する際の状態を示す要部の横断平面図
【図９】本発明の第２の実施形態を示す図１相当図
【図１０】図７相当図
【図１１】従来構成を示す操作パネル部分の横断平面図
【符号の説明】
【００２８】
図面中、１０は工作機本体、１１はカバー、１４はパネル取付部、１５は操作パネル、１６は操作キー（操作手段）、１７は摘み（操作手段）、２１はヒンジ機構、２２はカバー側ヒンジ部、２４はヒンジ軸、２６はパネル側ヒンジ部、２７は嵌合筒部、２８は隙間、２９は板ばね（付勢手段）、３１はパッキン、３２はねじ、３５はばねユニット（付勢手段）を示す。
【図１】
2005230951.tif 000003
【図２】
2005230951.tif 000004
【図３】
2005230951.tif 000005
【図４】
2005230951.tif 000006
【図５】
2005230951.tif 000007
【図６】
2005230951.tif 000008
【図７】
2005230951.tif 000009
【図８】
2005230951.tif 000010
【図９】
2005230951.tif 000011
【図１０】
2005230951.tif 000012
【図１１】
2005230951.tif 000013